(57)【要約】【課題】蓮根の栽培管理を沼地ではなく作業性の良い場所ででき、収穫作業を簡便に行うことができる栽培容器を提供する。【解決手段】栽培容器Ｐは、上面が開放された可搬型の容器本体１と、容器本体１の側面であって、底面から所定高さの位置に設けられて、容器本体１内の水を排出可能な第１排水口２ａと、第１排水口２ａよりも下方に形成された蓮根Ｒ等の栽培植物の用土を収容可能な用土収容空間と、第１排水口２ａを開栓状態及び閉栓状態のいずれかの状態とすることが可能な排水栓４ａと、を備えている。【選択図】図１
2019004716.tif 000002
【特許請求の範囲】
【請求項１】
上面が開放された可搬型の容器本体と、
前記容器本体の側面であって、底面から所定高さの位置に設けられて、該容器本体内の水を排出可能な第一の排水口と、
前記第一の排水口よりも下方に形成された栽培植物の用土を収容可能な用土収容空間と、
前記第一の排水口を開栓状態及び閉栓状態のいずれかの状態とすることが可能な第一の排水制御手段と、
を備えたことを特徴とする栽培容器。
【請求項２】
前記容器本体の側面であって、前記第一の排水口が設けられた高さと該容器本体の上端との間に設けられて、該容器本体内の水を排出可能な第二の排水口と、
前記第二の排水口を開栓状態及び閉栓状態のいずれかの状態とすることが可能な第二の排水制御手段と、
を備えたことを特徴とする請求項１に記載の栽培容器。
【請求項３】
前記第二の排水口は、前記第一の排水口よりも５〜１５ｃｍ高い位置であって、前記容器本体の上端よりも５〜１５ｃｍ低い位置に設けられていることを特徴とする請求項２に記載の栽培容器。
【請求項４】
前記第一の排水口は、前記容器本体の底面から１５〜２５ｃｍの高さの位置に設けられていることを特徴とする請求項１〜３のいずれか一項に記載の栽培容器。
【請求項５】
前記容器本体は、箱型に形成されるとともに、上端縁に沿って外方に突出するフランジが形成されており、
前記容器本体の上端縁に沿って延在し、該上端縁の先端部及び後端部からそれぞれ突出する長さであって、前記フランジの少なくとも下端部を支持するようにして該フランジに対して着脱可能に取り付けられる操作部材を備えたことを特徴とする請求項１〜４のいずれか一項に記載の栽培容器。
【発明の詳細な説明】
【技術分野】
【０００１】
本発明は、栽培容器に関する。
【背景技術】
【０００２】
従来、蓮根は古くから栽培され、需要の多い農作物であるが、近年、栽培者の高齢化、適地の減少、作業の重労働等の要因で生産量の減少が続いている。
【０００３】
従来の蓮根の栽培方法としては、鍬などの用具を使い人力で収穫される方法（くわ堀）が一般的であったが、近年では、重機を用いた掘り取りや水堀と呼ばれる水流を使った収穫方法で、生産性の高い収穫方法が確立されている。
【０００４】
しかしながら、このような栽培方法は、土質等の栽培環境や、栽培農家の経営規模等に依存し、栽培可能な地域や栽培者が限定される。また、このような栽培方法は、蓮根を大量に収穫することができるが、高額な設備投資となり、一定以上の経営規模及び労力が必要であり、その結果、零細な栽培者は減少の傾向にある。
【０００５】
このような状況に鑑み、従来の蓮根の栽培方法を改め、箱型の一定大きさの栽培容器に土壌を一定量入れて種蓮根を植え付け、水が土壌の表面から一定の高さを維持するように管理することで蓮根の栽培を可能としたものがある（例えば、特許文献１参照）。
【０００６】
このような栽培技術によれば、従来湿田や池沼など限られた場所で行われていた蓮根栽培が、場所を選ばず、簡便に栽培が可能になり、小規模の栽培や家庭での栽培も可能になる。また、栽培容器の数を多くする等により、大規模な栽培も可能となり、蓮根の市場供給量の増加も期待できる。
【先行技術文献】
【特許文献】
【０００７】
【特許文献１】特開２００３−１３４９２８号公報
【発明の概要】
【発明が解決しようとする課題】
【０００８】
ところで、蓮根の栽培においては、蓮根の成長の過程に応じて水の量を調節する必要があり、例えば、栽培開始時期では、定植作業がしやすいように水を少なめにし、蓮根の成長期になると水分の吸収量が増加するために、潅水により一定量以上の水が貯蓄される必要がある。しかしながら、上記特許文献１による栽培方法で用いられる栽培容器では、例えば、蓮根の成長期においては、栽培容器を屋外に設置することで雨水による潅水が可能となり、栽培負担が減少されるが、成長開始時期から成長期に移行するまでの期間においては、雨水を避ける必要があることから、栽培容器を雨水を避ける位置に移設するなどの対応が必要であり、手間がかかる。
【０００９】
本発明は、上記課題に鑑みてなされたものであり、蓮根の栽培管理を沼地ではなく作業性の良い場所ででき、収穫作業を簡便に行うことができる栽培容器を提供することを目的とするものである。
【課題を解決するための手段】
【００１０】
上記目的を達成するため、請求項１に記載の発明は、栽培容器であって、
上面が開放された可搬型の容器本体と、
前記容器本体の側面であって、底面から所定高さの位置に設けられて、該容器本体内の水を排出可能な第一の排水口と、
前記第一の排水口よりも下方に形成された栽培植物の用土を収容可能な用土収容空間と、
前記第一の排水口を開栓状態及び閉栓状態のいずれかの状態とすることが可能な第一の排水制御手段と、
を備えたことを特徴とする。
【００１１】
請求項２に記載の発明は、請求項１に記載の栽培容器において、
前記容器本体の側面であって、前記第一の排水口が設けられた高さと該容器本体の上端との間に設けられて、該容器本体内の水を排出可能な第二の排水口と、
前記第二の排水口を開栓状態及び閉栓状態のいずれかの状態とすることが可能な第二の排水制御手段と、
を備えたことを特徴とする。
【００１２】
請求項３に記載の発明は、請求項２に記載の栽培容器において、
前記第二の排水口は、前記第一の排水口よりも５〜１５ｃｍ高い位置であって、前記容器本体の上端よりも５〜１５ｃｍ低い位置に設けられていることを特徴とする。
【００１３】
請求項４に記載の発明は、請求項１〜３のいずれか一項に記載の栽培容器において、
前記第一の排水口は、前記容器本体の底面から１５〜２５ｃｍの高さの位置に設けられていることを特徴とする。
【００１４】
請求項５に記載の発明は、請求項１〜４のいずれか一項に記載の栽培容器において、
前記容器本体は、箱型に形成されるとともに、上端縁に沿って外方に突出するフランジが形成されており、
前記容器本体の上端縁に沿って延在し、該上端縁の先端部及び後端部からそれぞれ突出する長さであって、前記フランジの少なくとも下端部を支持するようにして該フランジに対して着脱可能に取り付けられる操作部材を備えたことを特徴とする。
【発明の効果】
【００１５】
本発明によれば、蓮根の栽培管理を沼地ではなく作業性の良い場所ででき、収穫作業を簡便に行うことができる栽培容器を提供することができる。
【図面の簡単な説明】
【００１６】
【図１】（Ａ）は本実施形態に係る栽培容器の平面図であり、（Ｂ）は（Ａ）におけるＡ−Ａ断面図である。
【図２】蓮根の成長の過程について説明する図である。
【図３】（Ａ）は操作稈が取り付けられた栽培容器の平面図であり、（Ｂ）は（Ａ）におけるＢ−Ｂ断面拡大図である。
【図４】操作稈の変形例を示す断面拡大図である。
【図５】蓮根を収穫する様子について説明する図である。
【発明を実施するための形態】
【００１７】
以下、本発明の実施の形態に係る栽培容器について、図１〜図５を参照しながら説明する。ただし、発明の範囲は図示例に限定されない。なお、以下の説明において、同一の機能及び構成を有するものについては、同一の符号を付し、その説明を省略する。
【００１８】
まず、図１（Ａ）及び同図（Ｂ）を参照しながら、本実施形態に係る栽培容器Ｐについて説明する。本実施形態の説明において、前後、上下、左右とは、栽培容器Ｐを操作稈６が取り付けられる側の側面から見た状態を基準とした前後、上下、左右を意味する。
【００１９】
図１（Ａ）及び同図（Ｂ）に示すように、栽培容器Ｐは、上面が開放された可搬型の箱型の容器本体１を備えて構成されている。容器本体１は、樹脂や陶器等の適宜の材料が適用可能であるが、収穫時の操作の容易性を考慮して軽量であることが望ましく、本実施形態では、例えば、ポリプロピレンにより形成されている。また、容器本体１は、底面の縦横内寸よりも上面開口部分の縦横内寸の方がわずかに大きく、すなわち、底面から上面開口にかけて縦横の内寸が徐々に拡大した鐘状とされている。本実施形態では、容器本体１の底面の内寸（ＢＷ×ＢＤ）を１１２５ｍｍ×６９０ｍｍとし、上面開口の寸法（ＯＷ×ＯＤ）を１２１０ｍｍ×７７８ｍｍとし、高さ内寸Ｈを４４５ｍｍとしており、約４００Ｌの容量を有してる。なお、底面の内寸と上面開口部分の内寸が同じであってもよいし、各寸法は上述したものに限らず適宜設定することができる。ここで、容器本体１の寸法は大きければ大きいほど収穫量が期待できるが、大きすぎると、後述するように容器本体１をひっくり返す作業が困難となるため、大人２名により人力でひっくり返すことができる程度の大きさとされるのが好ましい。また、容器本体１の四隅は、Ｒ形状とされている。
【００２０】
容器本体１の左側面には、円形状に開口した第１排水口２ａと第２排水口２ｂとが所定間隔を空けて上下に設けられている。すなわち、第１排水口２ａの上方に第２排水口２ｂが設けられている。第１排水口２ａは、底面から適宜の高さに設定可能であり、蓮根の栽培環境を考慮すると、底面から１５〜２５ｃｍの高さが好適であり、本実施形態では、底面から約２５０ｍｍの高さに第１排水口２ａが開設されている。また、第２排水口２ｂは、第１排水口２ａから上方に適宜寸法を空けて設定されるものであり、蓮根の栽培環境を考慮すると、第１排水口２ａが開設された高さよりも５〜１５ｃｍ高い位置であって、容器本体１の上端よりも５〜１５ｃｍ低い位置とするのが好適であり、本実施形態では、第１排水口２ａよりも約１０ｃｍ高い位置とされており、すなわち、底面から約３５０ｍｍの高さに開設されている。一方、第２排水口２ｂから容器本体１の上端までの長さは、１０ｃｍ弱とされている。なお、第１排水口２ａと第２排水口２ｂの開口面積は同じにしているが、異なっていてもよい。また、本実施形態では、第１排水口２ａと第２排水口２ｂとを平面視で略一致した位置に開設するようにしたが、平面視でずれた位置に開設するようにしてもよい。また、第１排水口２ａと第２排水口２ｂとで開設する面を異ならせてもよく、例えば、第１排水口２ａを容器本体１の左側面に開設し、第２排水口２ｂを容器本体１の右側面に開設するようにしてもよい。また、本実施形態では、第１排水口２ａに加え、第２排水口２ｂを設けた構成としており、このようにすることで、蓮根の成長期において容器本体１に貯蓄される水量を一定に保つことができ、土壌の監視が容易となり、また、アブラムシ等の害虫駆除のために散布される農薬が希釈されることが抑制され、コストに優れるという利点がある。また、蓮根の成長により蓮根の体積が増加すると、その分だけ土壌が隆起し、土壌の高さが変動するため、第２排水口２ｂを設けることで、これに合わせた水量調整を行うことが可能となり、栽培作業の手間を減らすことが可能となる。さらに、排水口２ａ，２ｂを設けることで、開栓時には、例えば、水害が発生して洪水が生じた場合でも、開栓した排水口よりも上方に水が溜まらないので流失しにくいという利点もあるが、第２排水口２ｂを設けない構成としてもよい。また、排水口を３つ以上設けるようにしてもよい。
【００２１】
これら第１排水口２ａ及び第２排水口２ｂは、それぞれ排水栓４ａ，４ｂにより閉塞可能とされている。すなわち、本実施形態では、第１排水口２ａを閉栓する排水栓４ａが、第一の排水制御手段として機能し、第２排水口２ｂを閉栓する排水栓４ｂが、第二の排水制御手段として機能している。排水栓４ａ，４ｂは、円筒状の胴部と、その後端に設けられた頭部とが一体成形により構成されている。胴部の外形は、第１排水口２ａあるいは第２排水口２ｂの開口形状と略一致するように形成されるとともに、頭部の外形は、第１排水口２ａ及び第２排水口２ｂよりも大きく形成されている。そのため、排水栓４ａ，４ｂは、第１排水口２ａ及び第２排水口２ｂに対して挿脱可能とされている。また、第１排水口２ａ及び第２排水口２ｂを、例えば、排水管により構成するとともに、バルブの開閉により容器本体１内の水の排出制御を可能に構成してもよい。
【００２２】
また、容器本体１の内周側面には、２本のメモリ線（第１メモリ線５ａ，第２メモリ線５ｂ）が設けられている。２本のメモリ線のうちの下方に設けられた第１メモリ線５ａは、底面から約２５０ｍｍの高さにあり、上方に設けれられた第２メモリ線５ｂは、底面から約３５０ｍｍの高さにある。第１メモリ線５ａは、後述する土壌の高さを設定する目安となる線であり、第２メモリ線５ｂは、蓮根の成育肥大のために隆起した土壌の高さを把握するための線である。すなわち、第１メモリ線５ａが形成された高さよりも下方が用土収容空間として機能している。なお、本実施形態では、容器本体１に収容される土壌の高さを２５０ｍｍ以下とするのが好適であり、これを超えると、容器本体１の重量が大きくなりすぎてしまい、蓮根の収穫の際に容器本体１をひっくり返す作業が困難となってしまう。なお、本実施形態においてメモリ線が設けられない態様であってもよい。
【００２３】
また、容器本体１の上端外周には、断面凹字状のフランジ部３が外方に突出して一体に設けられており、凹字状のフランジ部３の内周には、複数の補強リブ３ａが適宜個所に設けられている。
【００２４】
また、容器本体１の前側のフランジ部３の上面には、左右端部からそれぞれ所定距離空けた位置に、後述する操作稈６（図３参照）を取り付けるための取付孔３ｂ，３ｂが開設されている。
【００２５】
続いて、以上のように構成された栽培容器Ｐを用いた蓮根の栽培要領について図２を参照しながら説明する。
【００２６】
まず、図２（Ａ）に示すように、容器本体１の土壌ＳＯを構成する用土を生成する。用土の生成は、最初に、容器本体１の底面より約２０〜２５ｃｍの高さまで、土と堆肥とを混成したものを堆積させた後、これに適宜量の有機質肥料と水とを投入し、これらを混和する。投入する水の量は、例えば、容器本体１内に堆積した土が水面よりわずかに高くなる程度とする。なお、この時、第１排水口２ａ及び第２排水口２ｂはいずれも開放状態としておき、容器本体１内に過剰な水が貯蓄されないように調整される。
【００２７】
このようにして生成された土壌ＳＯ内に種蓮根ＳＬＲを植え付ける。本実施形態では、植え付ける種蓮根ＳＬＲの量を、例えば、０．５〜１．５ｋｇとしており、収穫時にはおよそ１０倍程度の重量の蓮根Ｒが収穫可能である。なお、図２では、説明の理解を容易にするために、種蓮根ＳＬＲを１つのみ図示するようにしているが、実際には、複数個の種蓮根ＳＬＲが植え付けられる。なお、種蓮根ＳＬＲの植付時期としては、例えば、４月頃が好適であるが、これに限らず、蓮根Ｒの生育環境が許す範囲で適宜の時期に植付を行ってもよい。
【００２８】
このようにして種蓮根ＳＬＲの植付が行われた栽培容器Ｐは、例えば、屋外に載置され、収穫期まで移設不要とされている。その後は、蓮根の葉の生育状態を見ながら、１か月に１回程度、適宜量の有機質肥料の追肥を行う。また、蓮根Ｒの成長時期に合わせて、化成肥料を投与してもよい。
【００２９】
その後、図２（Ｂ）に示すように、蓮根Ｒが成長して立ち葉ＳＬが観察される。本実施形態では、５月頃より立ち葉ＳＬが観察される。この時期になると、蓮根Ｒの水の吸収量が増加するので、このタイミングで、第１排水口２ａを排水栓４ａにより閉栓する。これにより、土壌の表面から第２排水口２ｂの開設位置の高さの範囲で水ＷＴを貯蓄することができ、すなわち、水深を約１０ｃｍ程度に維持することができるようになる。本実施形態では、水深をこの程度の高さに維持可能としたことにより、土壌の状態を容易に確認することが可能となり、また、アブラムシ等の害虫が発生した場合に投与する農薬が水量過多により希釈されて効果が薄れてしまうおそれが低減されるようになる。なお、水ＷＴは、雨水で供給される場合もあるが、不足する場合には、適宜潅水により補充する。ここで、蓮根Ｒは、複数の成長点を有しており、この成長点から節を形成しながら伸展と分枝を繰り返す。そして、節の部分では、根と葉が生え、葉は土壌ＳＯの表面より上方に伸展し、観察可能とされる。蓮根の葉は、水面に浮上するような態様で成育する浮き葉ＦＬと、水面よりも高い位置まで伸長する立ち葉ＳＬがあり、この時期では、立ち葉ＳＬの発生後、立ち葉ＳＬの増殖が観察される。
【００３０】
その後、本実施形態では、図２（Ｃ）に示すように、７〜８月頃になると、根と蓮根Ｒの増大により土壌ＳＯが隆起するようになる。本実施形態では、およそ１０ｃｍの土壌の隆起が確認される場合がある。そのため、土壌の表面高さと第２排水口２ｂの開設位置の高さが近似するようになり、十分な水深を得ることができず、水不足が生じる可能性がある。そこで、本実施形態では、このタイミングで、第２排水口２ｂを排水栓４ｂにより閉栓する。これにより、隆起後の土壌の表面から容器本体１の上面高さの範囲で水ＷＴを貯蓄することができ、すなわち、水深を約１０ｃｍ程度に維持することができるようになる。また、この時期になると、蓮根Ｒの水分の吸収量がさらに増え、蒸散も進むことから、必要に応じて適宜潅水を行う。
【００３１】
その後、本実施形態では、８月下旬頃になると肥大期となり、蓮根Ｒの成育が緩慢化され、蓮根Ｒの可食部の肥大が進行する。
【００３２】
本実施形態では、９月〜１０月頃になると収穫ができるようになる。収穫を行う場合には、例えば、図２（Ｄ）に示すように、第１排水口２ａ及び第２排水口２ｂを開栓して貯蓄されている水ＷＴの排水を行う。その後、葉ＳＬ，ＦＬを伐採する。なお、蓮根Ｒは、土中での保存が可能であるため、例えば、複数の栽培容器Ｐにて蓮根Ｒの栽培を行った場合には、時期をずらしながら収穫することができ、しかも、収穫量の調整を行うこともできるので経済的にも有利である。
【００３３】
次に、図３（Ａ）及び同図（Ｂ）を参照しながら、蓮根Ｒの収穫の際の利便性を図るために用いられる操作稈６について説明する。
【００３４】
操作稈６は、断面コ字状に折曲形成された金属製の棒状部材であり、容器本体１の前側のフランジ部３の長手方向に沿って取り付けられる。操作稈６の長さは、フランジ部３の長手方向の長さよりも大きく、操作稈６が取り付けられた状態では、両端部がそれぞれフランジ部３の両端からはみ出し、作業者による握持操作が可能な態様とされる。
【００３５】
操作稈６は、図３（Ｂ）に示すように、その内周によりフランジ部３が覆われるようにして嵌合し、操作稈６の挿通孔６ｂをフランジ部３の取付孔３ｂと整合させる。そして、ボルト６ａを、操作稈６の上面側に開設された挿通孔６ｂから挿通させた後、フランジ部３の取付孔３ｂ及び操作稈６の下面側に開設された挿通孔６ｃを貫通し、ナット６ｄにより螺合する。これにより、操作稈６を容器本体１に固定することができる。このようにして容器本体１に取り付けられた操作稈６を用いて栽培容器Ｐをひっくり返す操作が行われると、操作負荷が補強リブ３ａとともにフランジ部３の下端面の全体に対して均一にかかるので、容器本体１が可撓するのを抑制でき、収穫作業を容易にすることができるようになる。このように、本実施形態において、操作稈６は、上述したようにして容器本体１に取り付けられることにより、操作部材として機能する。
【００３６】
ここで、操作稈の変形例について、図４を参照しながら説明する。図４（Ａ）は、操作稈の第１変形例を示す断面拡大図であり、同図（Ｂ）は、操作稈の第２変形例を示す断面拡大図である。
【００３７】
図４（Ａ）に示すように、第１変形例の操作稈１６は、断面Ｃ字状に折曲形成された金属製の棒状部材（Ｃ型鋼という場合がある。）であり、図３を示して上述した要領で容器本体１のフランジ部３に取り付けられる。第１変形例の操作稈１６では、下面の先端が上方に折り曲げられてフランジ状とされており、この操作稈１６を用いて栽培容器Ｐをひっくり返す操作が行われると、操作負荷が操作稈１６の下面の先端のフランジ部分が容器本体１のフランジ部３の内周に形成された複数の補強リブ３ａに対してかかるので、図３に示す操作稈６よりも負荷の均一性は劣るものの、容器本体１の可撓を抑制可能であり、このようにしても、蓮根の収穫作業を容易ならしめることができる。
【００３８】
また、図４（Ｂ）に示すように、第２変形例の操作稈２６は、容器本体１のフランジ部３の上面に取り付けられる木製の肉厚板状の操作部材２６Ａと、フランジ部３の下面に取り付けられる同じく木製の肉厚板状の支持部材２６Ｂとを備えて構成されている。操作部材２６Ａは、長さがフランジ部３の長手方向の長さよりも大きく、操作部材２６Ａが取り付けられた状態では、両端部がそれぞれフランジ部３の両端からはみ出し、作業者による握持操作が可能な態様とされる。一方、支持部材２６Ｂは、長さがフランジ部３の長手方向の長さと略一致している。なお、操作部材２６Ａ及び支持部材２６Ｂが金属により形成されてもよい。第２変形例の操作稈２６は、まず、操作部材２６Ａに開設された挿通孔２６ｂとフランジ部３に開設された取付孔３ｂとを整合させるようにして操作部材２６Ａをフランジ部３の上面に載置し、ワッシャー２６ａ´とともにボルト２６ａを操作部材２６Ａの挿通孔２６ｂから挿通させる。その後、支持部材２６Ｂに開設された挿通孔２６ｃにボルト２６ａを挿通させるようにして支持部材２６Ｂを下方からフランジ部３に当接させる。その後、ワッシャー２６ｄ´をボルト２６ａに挿通させた上で、ナット２６ｄをボルト２６ａに螺合する。このようにして容器本体１に取り付けられた操作稈２６を用いて栽培容器Ｐをひっくり返す操作が行われると、操作負荷が支持部材２６Ｂにより補強リブ３ａとともにフランジ部３の下端面の全体に対して均一にかかるので、容器本体１が可撓するのを抑制でき、収穫作業を容易にすることができるようになる。すなわち、第２変形例の操作稈２６では、部品点数が図３に示す操作稈６よりも多い点で劣るものの、図３に示す操作稈６と同様の効果を発揮することができる。
【００３９】
なお、本実施形態では、容器本体１の前側にのみ操作稈６を取り付ける形態としたが、前後両側に操作稈６を取り付けるようにしてもよい。また、操作稈６を取り付け可能な構成とせず、操作稈６を用いずに栽培容器Ｐをひっくり返して蓮根Ｒを収穫するようにしてもよい。
【００４０】
続いて、上述したようにして、操作稈６が取り付けられた栽培容器Ｐにより蓮根Ｒを収穫する要領について図５を参照しながら説明する。
【００４１】
まず、図５（Ａ）に示すように、容器本体１に操作稈６が取り付けられた状態で、操作稈６が取り付けられた側の土（図５（Ａ）中、符号ＳＯａで示す領域の土）をある程度排出する。これにより、栽培容器Ｐが軽量化されるとともに、栽培容器Ｐの重心が後ろ側に変位し、操作稈６によるひっくり返す操作を容易ならしめることができる。なお、栽培容器Ｐをひっくり返す操作を行うにあたり、土の排出を行わなくてもよい。
【００４２】
続いて、図５（Ｂ）に示すように、２名の作業者ＦＭにより栽培容器Ｐをひっくり返す操作を行う。このとき、操作稈６の両端にそれぞれ作業者を１名ずつ配置し、容器本体１の後側底辺を揺動軸として矢印方向に栽培容器Ｐを揺動させるように操作稈６の両端を同時に操作することで比較的容易に栽培容器Ｐをひっくり返すことができる。
【００４３】
すると、図５（Ｃ）に示すように、成育した蓮根Ｒが土壌ＳＯともに、栽培容器Ｐがから排出され、蓮根Ｒが取出し容易となる。
【００４４】
蓮根Ｒの排出後は、栽培容器Ｐを水洗い等して再利用することができる。この時、直射日光を避けて保管することにより、耐用年数を伸ばすことができる。
【００４５】
以上説明したように、本実施形態によれば、栽培容器Ｐは、上面が開放された可搬型の容器本体１と、容器本体１の側面であって、底面から所定高さの位置に設けられて、容器本体１内の水を排出可能な第１排水口２ａと、第１排水口２ａよりも下方に形成された蓮根Ｒ等の栽培植物の用土を収容可能な用土収容空間と、第１排水口２ａを開栓状態及び閉栓状態のいずれかの状態とすることが可能な排水栓４ａと、を備えている。その結果、蓮根の栽培管理を沼地ではなく作業性の良い場所ででき、収穫作業を簡便に行うことができる栽培容器を提供することができる。すなわち、水量管理が煩雑な蓮根の栽培を、簡便な方法により実施することができるとともに、栽培容器Ｐをひっくり返すという簡便な方法により蓮根の収穫を行うことができるので、重機等が不要となり、栽培コストを低減させることができる。さらに、栽培場所を選ぶ蓮根について、この栽培容器を用いることにより、栽培場所を選ばず、作業性が良好な場所であればどこでも栽培することができるので、蓮根の供給量増加に寄与することができる。
【００４６】
また、本実施形態によれば、容器本体１の側面であって、第１排水口２ａが設けられた高さと容器本体１の上端との間に設けられて、容器本体１内の水を排出可能な第２排水口２ｂと、第２排水口２ｂを開栓状態及び閉栓状態のいずれかの状態とすることが可能な排水栓４ｂと、を備えたので、蓮根栽培における水量を一定に保つことができ、すなわち、水深を一定に保つことができるので、土壌の管理が容易となる。また、蓮根の成育により、土壌が隆起して土壌表面の高さが上昇した場合にも第２排水口を閉栓状態とすることで、一定の水量を貯蓄することが可能となる。その結果、蓮根の栽培をより容易なものとすることができる。
【００４７】
また、本実施形態によれば、第２排水口２ｂは、第１排水口２ａよりも５〜１５ｃｍ高い位置であって、容器本体１の上端よりも５〜１５ｃｍ低い位置に設けられているので、蓮根の栽培過程において水量の管理をより適切に行うことができるようになる。
【００４８】
また、本実施形態によれば、第１排水口２ａは、容器本体１の底面から１５〜２５ｃｍの高さの位置に設けられているので、植え付けた種蓮根を安定させて成育させることができ、蓮根の栽培をより適切に行うことができるようになる。
【００４９】
また、本実施形態によれば、容器本体１は、箱型に形成されるとともに、上端縁に沿って外方に突出するフランジ部３が形成されている。また、操作稈６は、容器本体１の上端縁に沿って延在し、該上端縁の先端部及び後端部からそれぞれ突出する長さであって、フランジ部３の少なくとも下端部を支持するようにしてフランジ部３に対して着脱可能に取り付けられる。その結果、栽培容器にて栽培した蓮根を、栽培容器をひっくり返すことにより収穫することができるが、そのひっくり返す操作を容易ならしめることができるので、収穫作業の効率化が図れるようになる。また、操作稈の操作により生じる負荷を分散させることができるので、容器本体１の変形を抑制でき、収穫作業がより容易に行うことができるようになる。
【００５０】
なお、本発明の実施の形態に記載された作用および効果は、本発明から生じる最も好適な作用および効果を列挙したに過ぎず、本発明による作用および効果は、本発明の実施の形態に記載されたものに限定されるものではない。
【００５１】
また、本実施形態に係る栽培容器Ｐは、蓮根の栽培に適するように構成されたものであるが、他にも、例えば、慈姑といった作物にも適用することができる。
【符号の説明】
【００５２】
Ｐ  栽培容器
１  容器本体
２ａ  第１排水口（第一の排水口）
２ｂ  第２排水口（第二の排水口）
３  フランジ部
４ａ  排水栓（第一の排水制御手段）
４ｂ  排水栓（第二の排水制御手段）
６  操作稈（操作部材）
ＳＬＲ  種蓮根
Ｒ  蓮根
ＳＯ  土壌
ＷＴ  水
【図１】
2019004716.tif 000003
【図２】
2019004716.tif 000004
【図３】
2019004716.tif 000005
【図４】
2019004716.tif 000006
【図５】
2019004716.tif 000007